(57)【要約】【課題】嗜好情報に沿った情報案内を行うだけでなく、嗜好情報が示す範囲とは異なる範囲についても情報検索を支援することができる情報案内検索装置を提供する。【解決手段】ユーザの嗜好を示す嗜好情報を作成する嗜好情報作成部８と、ユーザが検索しようとしている検索対象情報を嗜好情報が示す嗜好に沿って推定し、推定した検索対象情報を提示して案内する嗜好情報提示部２等と、嗜好情報が示す嗜好とは異なる嗜好を優先させて、ユーザが検索しようとしている検索対象情報を検索する検索部４等を備え、検索部４は、検索範囲をレーダーチャートで表示した上で、検索を行う。【選択図】        図１
2004355429.tif 000002
【特許請求の範囲】
【請求項１】
情報の検索を支援する情報案内検索装置であって、
ユーザの嗜好を示す嗜好情報を作成する嗜好情報作成手段と、
ユーザが検索しようとしている検索対象情報を前記嗜好情報作成手段が作成した嗜好情報が示す嗜好に沿って推定し、推定した検索対象情報を提示して案内する案内手段と、
前記嗜好情報が示す嗜好とは異なる嗜好を優先させて、ユーザが検索しようとしている検索対象情報を検索する検索手段と
を備えることを特徴とする情報案内検索装置。
【請求項２】
前記嗜好情報は、嗜好の種類を示すパラメータに含まれる複数のサブパラメータそれぞれに対する嗜好の度合いを示し、
前記検索手段は、前記度合いの小さいサブパラメータを優先させて、前記検索対象情報を検索する
ことを特徴とする請求項１記載の情報案内検索装置。
【請求項３】
前記検索手段は、前記複数のサブパラメータに対する嗜好の度合いの分布を反転して得られる分布を検索範囲として、前記検索対象情報を検索する
ことを特徴とする請求項２記載の情報案内検索装置。
【請求項４】
前記検索手段は、前記検索対象情報を検索するときの検索範囲を提示した後に、前記検索対象情報を検索する
ことを特徴とする請求項１記載の情報案内検索装置。
【請求項５】
前記検索手段は、前記検索範囲をグラフ表示する
ことを特徴とする請求項４記載の情報案内検索装置。
【請求項６】
前記嗜好情報は、嗜好の種類を示すパラメータに含まれる複数のサブパラメータそれぞれに対する嗜好の度合いを示し、
前記検索手段は、前記検索範囲を前記複数のサブパラメータを軸とするレーダーチャートで表示する
ことを特徴とする請求項５記載の情報案内検索装置。
【請求項７】
前記情報案内検索装置はさらに、前記嗜好情報を提示する嗜好情報提示手段を備える
ことを特徴とする請求項１記載の情報案内検索装置。
【請求項８】
前記嗜好情報は、嗜好の種類を示すパラメータに含まれる複数のサブパラメータそれぞれに対する嗜好の度合いを示し、
前記嗜好情報提示手段は、前記嗜好情報をグラフ表示し、
前記検索手段は、前記検索範囲をグラフ表示する
ことを特徴とする請求項７記載の情報案内検索装置。
【請求項９】
前記検索手段は、電子番組表に含まれる番組の中からユーザが視聴したい番組を前記検索対象情報として検索する
ことを特徴とする請求項１記載の情報案内検索装置。
【請求項１０】
前記情報案内検索装置はさらに、前記案内手段および前記検索手段の少なくとも１つによる前記検索対象情報の提示を音声で行う音声合成手段を備える
ことを特徴とする請求項１記載の情報案内検索装置。
【請求項１１】
情報の検索を支援する情報案内検索方法であって、
ユーザの嗜好を示す嗜好情報を作成する嗜好情報作成ステップと、
ユーザが検索しようとしている検索対象情報を前記嗜好情報作成ステップで作成された嗜好情報が示す嗜好に沿って推定し、推定した検索対象情報を提示して案内する案内ステップと、
前記嗜好情報が示す嗜好とは異なる嗜好を優先させて、ユーザが検索しようとしている検索対象情報を検索する検索ステップと
を含むことを特徴とする情報案内検索方法。
【請求項１２】
情報の検索を支援する情報案内検索装置のためのプログラムであって、
請求項１〜１０のいずれか１項に記載の情報案内装置が備える手段としてコンピュータを機能させる
ことを特徴とするプログラム。
【発明の詳細な説明】
【０００１】
【発明の属する技術分野】
本発明は、番組情報などの情報の検索を支援する装置に関し、特に、嗜好情報を利用した情報案内検索装置に関する。
【０００２】
【従来の技術】
従来、情報案内検索装置の一例として、番組案内検索機能付きテレビ放送受信機等の画像放映装置がある。従来の番組検索機能では、過去の検索結果履歴などからユーザの嗜好を抽出し、嗜好に合わせて検索対象を絞り込むことで、迅速な検索を可能にしている。たとえば、過去に指定した番組項目のデータを記憶しておき、放送データに付加された番組案内データを抽出したとき、その抽出した番組案内データから優先的に記憶した番組項目に相当するもののみを表示する（たとえば、特許文献１）。これにより必要な番組情報のみの表示が可能となり、ＥＰＧ（電子番組表）を扱う装置の構成を簡素化することができる。
【０００３】
また、嗜好情報を用いた他の従来のデータ検索装置では、番組の選局履歴を用いて選局回数とその時間帯を把握しておき、再度選局する際には、同じ時間帯に選局回数の多かったチャンネル順にソートして順次サーチする（たとえば、特許文献２）。これにより、ユーザが頻繁に見る番組を迅速かつ容易に選択することが可能となる。
【０００４】
また、番組検索を音声入力で行う場合には、上記のように過去に指定した番組項目などをユーザの嗜好番組とし、音声認識辞書を先の嗜好番組にかかわる語彙のみに絞り込んで検索を行うことにより、検索が迅速かつ容易に行なわれることに加えて、音声認識性能を向上させる効果もあり、音声認識誤りの少ない正確な検索が可能となる。
【０００５】
【特許文献１】
特開平１１−１２２５４８号公報
【０００６】
【特許文献２】
特開２００１−１１１９１１号公報
【０００７】
【発明が解決しようとする課題】
しかしながら、上記従来の情報案内検索装置は、いずれも、最初から嗜好情報に限るか、または、優先的に提示する手法であるため、嗜好情報以外の番組を検索することが困難または不可能となる。そのために、たとえば、気分転換として、あるいは、突発的な必要性等に迫られて、それまで頻繁に視聴してきたジャンルとは異なるジャンルの番組を検索したいと思っても、従来の情報案内検索装置ではもはや有効な検索支援を受けることができないという問題がある。
【０００８】
また、ユーザにとっては、装置が学習した嗜好情報の内容またはその傾向がわからないために、装置が案内する嗜好データに本当に所望の番組が含まれているかが判断できず、納得して案内や検索を行うことができないという問題がある。
そこで、本発明は、このような問題点を解決するためになされたものであり、嗜好情報に沿った情報案内を行うだけでなく、嗜好情報が示す範囲とは異なる範囲についても情報検索を支援することができる情報案内検索装置を提供することを目的とする。
【０００９】
また、本発明は、検索したい情報が嗜好情報として認識されているかどうか、あるいは、検索したい情報が検索範囲に含まれるかどうかを簡単に知ることができ、ユーザが安心して情報検索を行うことができる情報案内検索装置を提供することをも目的とする。
【００１０】
【課題を解決するための手段】
上記目的を達成するために、本発明に係る情報案内検索装置は、情報の検索を支援する情報案内検索装置であって、ユーザの嗜好を示す嗜好情報を作成する嗜好情報作成手段と、ユーザが検索しようとしている検索対象情報を前記嗜好情報作成手段が作成した嗜好情報が示す嗜好に沿って推定し、推定した検索対象情報を提示して案内する案内手段と、前記嗜好情報が示す嗜好とは異なる嗜好を優先させて、ユーザが検索しようとしている検索対象情報を検索する検索手段とを備えることを特徴とする。
【００１１】
これによって、嗜好情報に沿って推定された検索対象情報が案内されるとともに、嗜好情報が示す範囲とは異なる範囲を対象として検索対象情報が検索されるので、ユーザは、嗜好情報と同一傾向の情報を検索する場合であっても、反対傾向の情報を検索する場合であっても、嗜好情報を活用した検索支援を受けることができ、より短時間で所望の情報を見つけ出すことができる。
【００１２】
ここで、前記嗜好情報は、嗜好の種類を示すパラメータ（たとえば、番組におけるジャンル）に含まれる複数のサブパラメータ（たとえば、ドラマ、スポーツ、ニュース等）それぞれに対する嗜好の度合いを示し、前記検索手段は、前記度合いの小さいサブパラメータを優先させて、前記検索対象情報を検索してもよい。たとえば、前記検索手段は、前記複数のサブパラメータに対する嗜好の度合いの分布を反転して得られる分布を検索範囲として、前記検索対象情報を検索してもよい。これによって、嗜好の度合いが低いジャンルほど高い確率で情報が検索されるので、嗜好情報と異なる傾向の情報が確実に検索される。
【００１３】
また、前記検索手段は、前記検索対象情報を検索するときの検索範囲を提示した後に、前記検索対象情報を検索してもよい。たとえば、前記検索手段は、前記検索範囲をレーダーチャートのようなグラフ表示で提示してもよい。これによって、ユーザは、検索したい情報が検索範囲に含まれるかどうかを簡単に知ることができ、安心して情報検索を行うことができる。
【００１４】
また、前記情報案内検索装置はさらに、前記嗜好情報を提示する嗜好情報提示手段を備えてもよい。たとえば、前記嗜好情報は、嗜好の種類を示すパラメータに含まれる複数のサブパラメータそれぞれに対する嗜好の度合いを示し、前記嗜好情報提示手段は、前記嗜好情報をグラフ表示し、前記検索手段は、前記検索範囲をグラフ表示してもよい。これによって、ユーザは、検索したい情報が嗜好情報として認識されているかどうかを直感的に知ることができるとともに、検索したい情報が検索範囲に含まれるかどうかについても直感的に知ることができ、より短時間で、かつ、確実に、所望の情報を見つけ出すことができる。
【００１５】
また、前記検索手段は、電子番組表に含まれる番組の中からユーザが視聴したい番組を前記検索対象情報として検索してもよい。たとえば、本発明は、一実施例として、番組案内検索機能付き放送受信装置として実現することができる。
さらに、前記情報案内検索装置はさらに、前記案内手段および前記検索手段の少なくとも１つによる前記検索対象情報の提示を音声で行う音声合成手段を備えてもよい。つまり、音声によって嗜好情報を案内したり、音声によって検索範囲を案内してもよい。
【００１６】
また、本発明は、このような情報案内検索装置として実現することができるだけでなく、情報案内検索装置が備える手段をステップとする情報案内検索方法として実現したり、そのような手段をコンピュータに機能させるプログラムとして実現することもできる。そして、そのプログラムは、ＣＤ−ＲＯＭ等の記録媒体やインターネット等の伝送媒体を介して配信することができるのは言うまでもない。
【００１７】
【発明の実施の形態】
以下、図面を参照して本発明に係る情報案内検索装置の実施の形態を説明する。ここでは、本発明に係る情報案内検索装置の一例として、嗜好情報を利用した番組案内機能を備える放送受信装置を説明する。
【００１８】
図１は、本実施の形態における番組案内機能付き放送受信装置１の構成を示す機能ブロック図である。なお、本図には、放送受信装置１だけでなく、周辺装置（ディスプレイ６、リモコン１１）も併せて示されている。
この放送受信装置１は、ユーザによるリモコン１１の操作等に従って、受信したテレビ放送信号から番組を選局し、ディスプレイ６に映像を出力する受信装置であり、付加的な機能として、ユーザの嗜好情報を利用した番組案内機能を備え、嗜好情報が示している範囲とは反対の範囲を検索対象として番組を検索することができる点に特徴を有し、嗜好情報提示部２、検索語彙設定部３、検索部４、ＳＴＢ５、嗜好情報抽出部７、嗜好情報作成部８、検索語彙記憶部９および嗜好情報記憶部１０を備える。
【００１９】
ＳＴＢ５は、テレビ放送用の受信機であり、アンテナから送られてくる放送データに含まれる番組のうち、リモコン１１等を介してユーザが選局した番組、あるいは、検索部４から通知された番組をディスプレイ６に表示出力したりする。
嗜好情報作成部８は、ＳＴＢ５での選局動作に基づいて、ユーザの嗜好情報を作成する。たとえば、ＥＰＧなどで取得する番組情報には、チャンネル、ジャンル、時間帯、番組名、出演者などのパラメータ毎にその情報がタグとして付加されており、各パラメータの内容はさらにサブパラメータごとに整理されており、このサブパラメータ情報もタグとして付加されている。なお、「ジャンル」というパラメータに属するサブパラメータとして、「ドラマ」「スポーツ」「バラエティー」「ニュース」「ニュース解説」などがある。
【００２０】
この嗜好情報作成部８は、ユーザが番組を視聴した場合には、図２（ａ）に示されるように、パラメータやサブパラメータ毎に内容を記録し、図２（ｂ）および（ｃ）に示されるように、その出現回数または出現頻度をカウントしておく。そして、あるパラメータまたはサブパラメータ群または特定番組の出現頻度が一定以上になったとき、図３に示されるように、そのタグ情報（たとえば、サブパラメータごとに、出現頻度を嗜好の度合いとして対応させた情報）を嗜好情報として嗜好情報記憶部１０に格納し、ユーザの嗜好情報として案内できるようにする。図３に示される嗜好情報の例では、ユーザが番組推薦を希望した場合に、パラメータである「ドラマ」や「時間帯２０時−２２時」、サブパラメータ群である「野球」、番組である「利家とまつ」に関わる番組情報の案内が可能となるように、これらパラメータおよびサブパラメータが嗜好情報記憶部に記録されている。ここで、番組情報は、たとえば番組名、出演者名、あらすじなどをいい、連続ドラマの場合は前回の視聴率などもこの際の番組情報に含まれる。
【００２１】
嗜好情報記憶部１０は、上述のようにして嗜好情報作成部８が作成した嗜好情報を記憶するメモリ等である。
嗜好情報抽出部７は、検索部４からの指示等に基づいて、嗜好情報記憶部１０に格納されている嗜好情報を読み出し、ディスプレイ６、嗜好情報提示部２および検索語彙設定部３に出力する。
【００２２】
嗜好情報提示部２は、嗜好情報抽出部７を介して、嗜好情報記憶部１０に格納されている嗜好情報を取得し、取得した嗜好情報をディスプレイ６にグラフ表示する。
検索語彙設定部３は、嗜好情報抽出部７を介して、嗜好情報記憶部１０に格納されている嗜好情報を取得し、取得した嗜好情報が示す嗜好範囲とは反対の範囲に属する番組が検索対象となるように（たとえば、複数のサブパラメータに対する嗜好の度合いの分布を反転して得られる分布が検索範囲となるように）、ＥＰＧ等に基づいて、それら番組の検索語彙を決定し、検索語彙記憶部９に格納する。たとえば、重み付けの大きいジャンルほど、より多くの検索語彙を検索語彙記憶部９に格納しておく。なお、検索語彙設定部３は、嗜好情報記憶部１０に嗜好情報が未だ格納されていない場合には、全番組が検索対象となるように、それら番組の検索語彙を決定し、検索語彙記憶部９に格納する。
【００２３】
検索語彙記憶部９は、検索語彙設定部３で決定された検索語彙を記憶するメモリ等である。
検索部４は、検索語彙設定部３で設定された検索範囲、つまり、嗜好情報記憶部１０に格納された嗜好情報が示す嗜好範囲を反転して得られる範囲をグラフ表示するとともに、ユーザから取得した検索キーワード等の検索条件に基づいて、検索語彙記憶部９に格納された検索語彙を対象として検索を実行する。つまり、嗜好情報が示す嗜好とは異なる嗜好を優先させて検索を行う。そして、その検索結果を示す番組一覧をディスプレイ６に表示するとともに、その番組一覧からユーザが選択した番組をＳＴＢ５に通知して選局させる。
【００２４】
次に、以上のように構成された本実施の形態における放送受信装置１の動作について説明する。
図４は、この放送受信装置１の番組案内機能の概要を示す画面遷移図である。ここでは、ユーザがリモコン１１等を介して放送受信装置１と対話しながら好みの番組を探し出す場合の主要な表示画面の遷移とその遷移条件（矢印の横）が示されている。
【００２５】
放送受信装置１は、まず、「番組案内・検索メニュー」画面２０において、２つのボタン（「番組推薦」ボタン２０ａ、「番組検索」ボタン２０ｂ）や、嗜好情報記憶部１０に格納されている嗜好情報を表示する。嗜好情報の表示は、嗜好情報提示部２によって行われ、例えば、図５に示されるレーダーチャートのように、大ジャンルごとの選局頻度（選局頻度の割合）が示される。ユーザは、このような嗜好情報を確認した上で、その嗜好情報に沿った番組推薦を希望する場合には「番組推薦」ボタン２０ａを押し、一方、嗜好情報には示されていない番組を検索したい場合には「番組検索」ボタン２０ｂを押す。なお、嗜好情報記憶部１０に未だ嗜好情報が格納されていない場合には、このような嗜好情報の表示は行われない。
【００２６】
ここで、ユーザが「番組推薦」ボタン２０ａを押した場合には、放送受信装置１は、嗜好情報記憶部１０に格納されている嗜好情報に沿って複数個のおすすめ番組を決定し、図６に示される表示画面２１のように、決定したおすすめ番組を一覧表示する。なお、嗜好情報記憶部１０に未だ嗜好情報が格納されていない場合には、例えば、放送局から送られてくる「おすすめ番組情報」等に従って、それらおすすめ番組を一覧表示する。この表示画面２１に対して、ユーザは、視聴したい番組を見つけた場合には、その番組を選択することで、その番組の視聴画面２２に遷移することができ、視聴したい番組を見つけることができない場合には、「番組検索」ボタン２１ａを押すことによって、番組検索を開始することができる。
【００２７】
「番組案内・検索メニュー」画面２０において「番組検索」ボタン２０ｂが押された場合、あるいは、おすすめ番組の一覧画面２１において「番組検索」ボタン２１ａが押された場合には、放送受信装置１（検索部４）は、嗜好情報記憶部１０に格納されている嗜好情報が示す嗜好範囲とは反対の範囲を検索対象として番組を検索する旨の画面（検索範囲表示画面）２３を表示する。たとえば、図７に示されるレーダーチャートのように、嗜好情報が示す嗜好範囲を反転して得られる範囲を検索範囲とする旨の表示をする。これは、嗜好情報に基づく番組推薦からは意図する番組を見つけることができないユーザに対して、所望の番組を適切に検索することを支援するためである。このレーダーチャートは、検索対象とする各ジャンルの重み付けを示している。つまり、あるパラメータに属する複数のサブパラメータそれぞれを軸とし、それら複数のサブパラメータに対する嗜好の度合いの分布を反転して得られる分布を検索範囲として示している。
【００２８】
なお、嗜好情報記憶部１０に未だ嗜好情報が格納されていない場合には、放送受信装置１は、この検索範囲表示画面２３に替えて、後述する検索条件入力画面２４を表示する。
この検索範囲表示画面２３によって検索範囲を確認したユーザは、「条件入力」ボタン２３ａを押すことで、検索条件入力画面２４に遷移し、ここで、具体的な検索条件（検索キーワードなど）を入力することができる。そして、「検索」ボタン２５ａが押されると、放送受信装置１は、上記レーダーチャートが示す検索範囲を対象とし、検索条件入力画面２４で入力された検索キーワードを用いて該当する番組を検索し、その結果を番組一覧画面２５として表示する。ユーザは、その番組一覧画面２５において視聴したい番組を選択することで、その番組の視聴画面２２に遷移することができる。なお、ユーザは、検索範囲表示画面２３で表示された検索範囲に自分が検索したい番組が含まれないと思った場合には、検索条件入力画面２４において「検索範囲の変更」ボタン２４ｂを押すことによって、大ジャンル等のパラメータを直接入力することで、検索範囲を変更することもできる。
【００２９】
このように、ユーザは、「番組推薦」ボタン２０ａを押すことで、嗜好情報に沿った番組の案内サービスを受け、その中から視聴したい番組を決定することができ、一方、「番組検索」ボタン２０ｂを押すことで、嗜好情報とは反対の範囲を対象として番組を検索することができる。したがって、これまで見てきた番組と同じ傾向の番組を見たいときには「番組推薦」ボタン２０ａを使用し、一方、これまで見てきた番組と異なる傾向の番組を見たいときには「番組検索」ボタン２０ｂを使用することで、いずれの場合であっても、視聴したい番組を短時間で探し出すことができる。
【００３０】
図８は、図４に示された「番組案内・検索メニュー」画面２０における嗜好情報の提示についての放送受信装置１の処理手順を示すフローチャートである。嗜好情報提示部２は、まず、嗜好情報記憶部１０に格納されている嗜好情報を、嗜好情報抽出部７を介して取得する（Ｓ１０）。そして、取得した複数の嗜好情報の中から、最も偏りのある嗜好情報を特定する（Ｓ１１〜Ｓ１４）。つまり、嗜好情報として選ばれたサブパラメータ群が属するパラメータの中で最も出現頻度に偏りのあるパラメータを算出する。たとえば、図３の嗜好情報を用いてχ二乗分布を用いて偏りを算出した際には、パラメータの中で、ジャンルの偏りが最も大きいことになり、嗜好情報は大ジャンルで表現することに決定する。具体的には、ｉ番目のパラメータの偏り（χ二乗分布）χｉを算出し（Ｓ１１）、その値χｉがそれまでの最大値Ｍａｘ（χ）を超えているか否か判断し（Ｓ１２）、超えている場合には（Ｓ１２でＹｅｓ）、その値χｉで最大値Ｍａｘ（χ）を更新する（Ｓ１３）という処理を全てのパラメータについて繰り返す（Ｓ１４）。
【００３１】
続いて、嗜好情報提示部２は、上記手順で特定した最大値Ｍａｘ（χ）が信頼できる偏りであるか否かをχ二乗検定によって確認し（Ｓ１５）、信頼できる偏りであると確認できた場合に、その最大値の偏りをもつパラメータでレーダーチャート等の嗜好グラフを作成し（Ｓ１６））、ディスプレイ６に提示する（Ｓ１７）。
【００３２】
なお、χ二乗検定によって、最大値Ｍａｘ（χ）が信頼できる偏りではないと判定された場合には、嗜好情報提示部２は、その次の最大値Ｍａｘ（χ）を採用する。また、レーダーチャートの作成については、そのパラメータに属する各サブパラメータの出現頻度の全体に対する割合を示すように、チャートを決定する。なお、図５に示されたレーダーチャートでは、「大ジャンル」の構成要素であるサブパラメータ「ドラマ」「スポーツ」「バラエティー」「ニュース」「ニュース解説」ごとの選局頻度（全体に対する割合）で嗜好情報が示されている。ユーザは、このようなレーダーチャートを見ることで、テレビ番組の選局履歴において、最も偏りのあるパラメータが大ジャンルであり、その中で、ドラマとスポーツを選局した頻度が高く、ニュースを選局した頻度が低いことを知る。
【００３３】
図９は、図４に示された「番組案内・検索メニュー」画面２０において「番組検索」ボタン２０ｂを押したときの放送受信装置１の処理手順を示すフローチャートである。「番組案内・検索メニュー」画面２０において「番組検索」ボタン２０ｂが押されると（Ｓ２０）、検索語彙設定部３は、嗜好情報抽出部７から嗜好情報記憶部１０の格納状態を取得することで、嗜好情報記憶部１０に嗜好情報が格納されているか否かを判断する（Ｓ２１）。
【００３４】
その結果、嗜好情報記憶部１０に嗜好情報が格納されていない場合には（Ｓ２１でＮｏ）、検索語彙設定部３は、全番組を検索対象とするために、定められた期間、たとえばＥＰＧ一週間分などの期間に含まれる番組に関する全パラメータ名、タグ名を番組検索の対象語彙として検索語彙記憶部９に格納する。そして、検索部４は、検索条件入力画面２４を表示してユーザから検索条件を取得することで（Ｓ２５）、検索語彙記憶部９に格納された全番組検索用の語彙を対象として検索を実行し（Ｓ２６）、その検索結果を番組一覧画面２５として表示する。そして、その中からユーザが番組を選択した場合には、検索部４は、その旨をＳＴＢ５に通知することで、選択された番組の視聴画面２２を表示させる（Ｓ２７）。
【００３５】
一方、嗜好情報記憶部１０に嗜好情報が格納されている場合には（Ｓ２１でＹｅｓ）、検索語彙設定部３は、嗜好情報を除去して検索番組を設定する（Ｓ２３）。つまり、嗜好情報が示す範囲と反対の範囲を検索対象とするように、嗜好情報以外のパラメータやタグ名を優先的に検索するような検索語彙を検索語彙記憶部９に格納する。たとえば、嗜好情報が図３に示された内容である場合には、「ドラマ」、「野球」、「時間帯２０時−２２時」および「利家とまつ」に含まれない番組情報を優先的に案内するように検索語彙を設定する。なお、これらの番組情報を優先的に案内する方法としては、該当する語彙に限って設定してもよいし、先に該当する語彙のみを検索できるように、検索語彙フラグを辞書に記録してもよい。
【００３６】
そして、検索部４は、図７に示されるレーダーチャートのように、検索語彙記憶部９に格納された検索語彙によって定まる検索範囲、つまり、嗜好情報が示す嗜好範囲を反転して得られる検索範囲をディスプレイ６に表示する（Ｓ２４）。これによって、ユーザは、提示されたチャートから、自分が検索したい番組が検索範囲に含まれるかを確認しながら番組を検索することができる。
【００３７】
そして、検索部４は、検索範囲表示画面２３における「条件入力」ボタン２３ａが押された場合に、検索条件入力画面２４を表示してユーザから検索条件を取得した後に（Ｓ２５）、「検索」ボタン２４ａが押されたときに、検索語彙記憶部９に格納された語彙を対象として検索を実行し（Ｓ２６）、その検索結果を番組一覧画面２５として表示する。そして、その中からユーザが番組を選択した場合には、検索部４は、その旨をＳＴＢ５に通知することで、選択された番組の視聴画面２２を表示させる（Ｓ２７）。このようにして、ユーザは、検索範囲を確認しながら、視聴したい番組を検索していくことができる。
【００３８】
以上のように、本実施の形態における放送受信装置１によれば、ユーザは、視聴したい番組を探し出したい場合に、「番組推薦」ボタン２０ａを押すことによって過去の視聴履歴（嗜好情報）に則して類推されるおすすめ番組の案内を受けることができることに加えて、「番組検索」ボタン２０ｂを押すことによって過去の視聴履歴とは反対の傾向に沿った（嗜好情報以外の）番組を重点的に検索することができる。したがって、ユーザは、いつもと同じ趣向で番組を検索したい場合には「番組推薦」ボタン２０ａを押し、一方、いつもとは異なる趣向の番組、たとえば、これまで頻繁に視聴してきたスポーツ番組の対極にあるニュース番組を視聴してみたくなった場合には、「番組検索」ボタン２０ｂを押すことで、より短時間で、望む番組を見つけ出すことができる。そして、番組の検索時には、その検索範囲がレーダーチャート等でグラフィカルに表示されるので、ユーザは、直感的に検索範囲を確認したうえで、検索操作を進めていくことができる。
【００３９】
以上、本発明に係る情報案内検索装置について、実施の形態に基づいて説明したが、本発明はこの実施の形態に限定されるものではない。
たとえば、本実施の形態では、嗜好情報のグラフと検索範囲のグラフとは、異なる画面に表示されたが、同一画面に表示されてもよい。さらに、嗜好情報については、必ずしもグラフで表示される必要はない。
【００４０】
また、検索範囲等のグラフは、レーダーチャートだけに限られず、理解しやすい図であれば何でもよい。たとえば、図１０に示されるような、平均を０とした棒グラフで表してよいし、図１１に示されるような円グラフで表してもよい。そして、各パラメータに異なる色を対応させたり、嗜好情報と検索番組とで異なる色を対応させて、分離形式あるいは重畳形式で表示させてもよい。
【００４１】
また、嗜好傾向を表すための工夫として、予めパラメータの類似性を判断しておき、類似性の高いパラメータが接近するように各区分を配置したり、類似性の高いパラメータに同系列の色を対応させてカラー表示させてもよい。
また、本実施の形態では、嗜好情報等の各種情報は、ディスプレイ６による表示によって提示されたが、各種情報の提示形態として、画像表示に限られず、音声による案内であってもよい。たとえば、図４に示された各種表示画面２０、２１、２３〜２５に表示されているテキストデータを音声合成することで、音声による案内としてもよい。
【００４２】
また、図４に示された「番組案内・検索メニュー」画面２０等の各種表示画面は、必ずしもディスプレイ６の画面全体に表示される必要はなく、番組視聴中において、ディスプレイ６の一部の表示領域にだけ表示されてもよい。さらに、ユーザからの指示は、ディスプレイ６とリモコン１１とを用いたメニューによる対話形式（表示上のボタン）だけに限られず、図４に示された各種操作ボタンがマッピングされた放送受信装置１またはリモコン１１上の物理的なボタンによる操作であってもよい。
【００４３】
また、本実施の形態では、検索範囲は、嗜好情報が示す嗜好範囲と正反対の関係にあったが、本発明における嗜好情報と検索範囲との関係は、このような正反対の関係だけに限られない。たとえば、あるパラメータに６個のサブパラメータが含まれる場合に、嗜好情報が示す範囲を反転して得られる範囲のうち、上位３つのサブパラメータだけに絞って特定される範囲を検索範囲としてもよい。
【００４４】
また、放送受信装置は、個々の視聴者を区別したうえで、番組案内を行ってもよい。たとえば、ユーザから取得したユーザＩＤごとに視聴履歴を蓄積することで、ユーザごとに嗜好情報を作成し、ユーザごとに検索範囲を決定してもよい。これによって、家族で利用している放送受信装置であっても、実際に使用する個人の嗜好に合った番組案内をすることが可能となる。
【００４５】
さらに、本発明に係る情報案内検索装置は、放送受信装置における番組案内に適用できるだけでなく、様々な情報案内検索装置として実現することができる。たとえば、インターネットにおける情報検索として（検索エンジンが備える情報案内検索機能として、あるいは、端末装置におけるインターネットブラウザが備える情報案内検索機能として）実現することもできる。
【００４６】
【発明の効果】
以上の説明から明らかなように、本発明に係る情報案内検索装置により、情報を検索する場合に、ユーザの嗜好に沿った情報案内を受けることができるだけでなく、嗜好とは反対傾向の情報を優先した情報検索をも行うことができ、多様な情報検索が可能となる。
【００４７】
また、本発明に係る情報案内検索装置により、検索したい情報が嗜好情報として認識されているかどうか、あるいは、検索したい情報が検索範囲に含まれるかどうかを簡単に知ることができ、ユーザは、安心して情報検索を行うことができる。
【００４８】
以上のように、本発明により、多様な情報検索を安心して行うことができ、特に、テレビ放送のデジタル化に伴って番組数が飛躍的に増加してきた今日におけるユーザーフレンドリな番組案内機能として、本発明の実用的価値は極めて高い。
【図面の簡単な説明】
【図１】本発明の実施の形態における番組案内機能付き放送受信装置の構成を示す機能ブロック図である。
【図２】（ａ）は、嗜好情報作成部によって記録される視聴履歴を示し、（ｂ）および（ｃ）は、サブパラメータごとにカウントされた出現回数を示す図である。
【図３】嗜好情報の例を示す図である。
【図４】放送受信装置の番組案内機能の概要を示す画面遷移図である。
【図５】嗜好情報の提示例に係るレーダーチャートである。
【図６】おすすめ番組の一覧表示例を示す図である。
【図７】検索範囲の提示例に係るレーダーチャートである。
【図８】嗜好情報の提示について処理手順を示すフローチャートである。
【図９】番組検索における処理手順を示すフローチャートである。
【図１０】検索範囲や嗜好情報の他の提示例に係る棒グラフである。
【図１１】検索範囲や嗜好情報の他の提示例に係る円グラフである。
【符号の説明】
１    放送受信装置
２    嗜好情報提示部
３    検索語彙設定部
４    検索部
５    ＳＴＢ
６    ディスプレイ
７    嗜好情報抽出部
８    嗜好情報作成部
９    検索語彙記憶部
１０    嗜好情報記憶部
１１    リモコン
【図１】
2004355429.tif 000003
【図２】
2004355429.tif 000004
【図３】
2004355429.tif 000005
【図４】
2004355429.tif 000006
【図５】
2004355429.tif 000007
【図６】
2004355429.tif 000008
【図７】
2004355429.tif 000009
【図８】
2004355429.tif 000010
【図９】
2004355429.tif 000011
【図１０】
2004355429.tif 000012
【図１１】
2004355429.tif 000013